(57)【要約】【課題】  情報を提示するユーザを特定するとともに、ユーザ本人が確実に情報を取得できる場所に存在するときに、本当に必要な情報のみを提供することを可能とする。【解決手段】  カメラ１０１での撮像によってユーザを識別し、特定の登録ユーザがカメラ付近にいることを把握して、このユーザに対して、モニタ１０２やスピーカ１０４などの情報報知手段を通じた情報の提示を行う。また、ユーザが取り扱うＲＦＩＤタグ内の情報をＲＦＩＤ認識部１２０によって読み取り、情報検索部１１１が、ＲＦＩＤタグ内の情報に関連した情報を、ネットワーク接続部１１２を介して外部のネットワーク１３０から収集する。情報処理部１０９において、情報の提示に適切な日時や、提示すべき情報などが決定され、情報の提示が予定されている日時に、カメラにそのユーザが撮像されている場合に、情報の提示が行われる。【選択図】  図２
2005275619.tif 000002
【特許請求の範囲】
【請求項１】
特定の登録ユーザに情報の提示を行うことが可能な情報提示システムであって、
前記特定の登録ユーザを認証するための個人認証手段と、
所定の情報が格納されており、前記特定の登録ユーザが取り扱うことが可能なＲＦＩＤタグから、前記所定の情報を読み取るためのＲＦＩＤ認識手段と、
ネットワークに接続するためのネットワーク接続手段と、
前記ネットワークから、前記ＲＦＩＤ認識手段によって読み取られた前記所定の情報に基づいた情報検索及び情報収集を行うための情報検索手段と、
前記ＲＦＩＤ認識手段によって読み取られた前記所定の情報、及び、前記情報検索手段によって収集された情報のいずれか一方又は両方を蓄積するための情報蓄積手段と、
前記情報蓄積手段に蓄積された情報に基づいて、前記特定の登録ユーザに前記情報の提示を行う情報提示日時を決定する情報提示日時決定手段と、
前記情報蓄積手段に蓄積された情報に基づいて、前記特定の登録ユーザに提示するための前記情報を決定する情報決定手段と、
現在の日時を出力する時刻情報出力手段と、
前記特定の登録ユーザに提示する前記情報を報知するための情報報知手段と、
前記時刻情報出力手段から取得された前記現在の日時が前記情報提示日時決定手段によって決定された前記情報提示日時となり、かつ、このとき前記個人認証手段によって前記特定の登録ユーザの認証が行われた場合に、前記情報報知手段から、前記情報決定手段によって決定された前記情報を報知するように制御する情報提示制御手段とを、
有する情報提示システム。
【発明の詳細な説明】
【技術分野】
【０００１】
本発明は、情報の収集、情報を入手する際の支援、適切な日時における重要な情報の提示などを行うことが可能な情報提示システムに関する。
【背景技術】
【０００２】
従来、情報収集の方法としては、書籍や雑誌などの書物による情報収集、電話やファクシミリなどによる情報収集、そして、最近では、パーソナルコンピュータによるインターネット上の様々なサイトやデータベースからの情報収集が一般的である。これらの情報収集の方法は、いずれも情報を必要とするユーザが自発的に行なうものであり、こうした情報収集の方法を用いて、世の中に氾濫する大量の情報の中から、必要とする情報だけを効率良く集めることは至難の業である。
【０００３】
一方、ユーザの趣向を学習しながら、ユーザの興味のありそうな情報を提供する方法も提案されている。この方法によれば、ユーザが自ら情報を探す必要がなく、ユーザは、労力及び時間を節約することが可能となる。さらに、下記の特許文献１には、様々な情報源から情報を収集するとともに、収集された情報の量を適切な情報量に絞り込み、ユーザの行動を監視しながら、適切な量の情報を適切なタイミングでユーザに提示することを可能とする技術が記載されている。
【特許文献１】特開２０００−９９４４１号公報（図２、４、７、段落００２４〜００４２、００５３〜００６１、００８３〜００９０）
【発明の開示】
【発明が解決しようとする課題】
【０００４】
しかしながら、例えば、特許文献１に記載されている技術を始めとする従来の情報提示方法によれば、ユーザの行動を監視しながら、ユーザの趣向に合った情報であり、かつ、ユーザがその場で必要であると判断された情報が、その都度ユーザに提供される。したがって、ユーザが本当には必要としない情報まで、お仕着せの情報としてユーザに提供されてしまう可能性がある。こうしたお仕着せの情報は、真に必要な情報だけを欲するユーザには煩わしいものであり、さらには、真に必要な情報が、お仕着せの情報の中に埋もれてしまう可能性もある。
【０００５】
また、ユーザの特定が十分に行われないまま、又は、ユーザの状況を十分に考慮しないまま、ユーザに対して情報の提示が行われてしまう可能性もあり、提示される情報の種類によっては、情報漏洩やプライバシー侵害が意図せず発生してしまうおそれもある。
【０００６】
上記問題点に鑑み、本発明は、情報を提示するユーザを特定するとともに、ユーザ本人が確実に情報を取得できる場所に存在するときに、本当に必要な情報のみを提供することを可能とする情報提示システムを提供することを目的とする。
【課題を解決するための手段】
【０００７】
上記目的を達成するため、本発明は、認証された特定の登録ユーザに対して、ＲＦＩＤタグ内に格納されている情報に関連した適切な情報の提示を適切なタイミングで行うようにする。
【０００８】
すなわち、本発明によれば、特定の登録ユーザに情報の提示を行うことが可能な情報提示システムであって、
前記特定の登録ユーザを認証するための個人認証手段と、
所定の情報が格納されており、前記特定の登録ユーザが取り扱うことが可能なＲＦＩＤタグから、前記所定の情報を読み取るためのＲＦＩＤ認識手段と、
ネットワークに接続するためのネットワーク接続手段と、
前記ネットワークから、前記ＲＦＩＤ認識手段によって読み取られた前記所定の情報に基づいた情報検索及び情報収集を行うための情報検索手段と、
前記ＲＦＩＤ認識手段によって読み取られた前記所定の情報、及び、前記情報検索手段によって収集された情報のいずれか一方又は両方を蓄積するための情報蓄積手段と、
前記情報蓄積手段に蓄積された情報に基づいて、前記特定の登録ユーザに前記情報の提示を行う情報提示日時を決定する情報提示日時決定手段と、
前記情報蓄積手段に蓄積された情報に基づいて、前記特定の登録ユーザに提示するための前記情報を決定する情報決定手段と、
現在の日時を出力する時刻情報出力手段と、
前記特定の登録ユーザに提示する前記情報を報知するための情報報知手段と、
前記時刻情報出力手段から取得された前記現在の日時が前記情報提示日時決定手段によって決定された前記情報提示日時となり、かつ、このとき前記個人認証手段によって前記特定の登録ユーザの認証が行われた場合に、前記情報報知手段から、前記情報決定手段によって決定された前記情報を報知するように制御する情報提示制御手段とを、
有する情報提示システムが提供される。
【発明の効果】
【０００９】
本発明の情報提示システムは、情報を提示するユーザを特定するとともに、ユーザ本人が確実に情報を取得できる場所に存在するときに、本当に必要な情報のみを提供することを可能とするものであり、自ら情報を探せないユーザが、世の中に氾濫する大量の情報の中から、本当に必要とする情報のみを入手できるようにすることによって、デジタルデバイドによる情報格差を解消したり、行わなければならない事柄を忘れてしまうユーザに対して、必要な情報を適切な時刻に提示したりすることが可能となり、情報の取得に不慣れな弱者を補助するという効果を有している。
【発明を実施するための最良の形態】
【００１０】
以下、図面を参照しながら、本発明の第１及び第２の実施の形態について説明する。
【００１１】
＜第１の実施の形態＞
まず、本発明の第１の実施の形態について説明する。図１は、本発明の第１の実施の形態における情報提示システム全体の構成を示す図である。図１に図示されている情報提示システム１００は、カメラ（監視用カメラ）１０１、モニタ（モニタディスプレイ）１０２、マイク（音声入力部）１０３、スピーカ（音声出力部）１０４、画像認識部１０５、画像合成部１０６、音声認識部１０７、音声合成部１０８、情報処理部１０９、情報蓄積部１１０、情報検索部１１１、ネットワーク接続部１１２、時計部（時刻情報出力部）１１３を有している。
【００１２】
カメラ１０１は、ユーザを撮像するために設けられた撮像手段である。例えば、カメラ１０１は、所定の部屋に設けられており、部屋の中全体を撮像できるように広角レンズ又は魚眼レンズを備えているか、あるいは、全方位（周囲３６０度）を撮像することが可能な全方位センサを備えている。また、画像認識部１０５は、カメラ１０１で撮像された画像の中から人物を特定するための処理を行うものである。画像認識部１０５による人物の特定処理は、例えば、所定のデータベースにあらかじめ登録されている複数の登録者に係る人物データとの照合、及び、カメラ１０１で撮像された人物が登録者か否かの判定によって行われる。なお、この人物の特定処理は、既にセキュリティ分野において実用化されている技術である。また、ここでは、カメラ１０１及び画像認識部１０５による人物の特定処理によって、ユーザ認証（個人認証）を行えるように構成されているが、例えば、指紋や虹彩などを利用したバイオメトリック認証を始めとする他の個人認証方法を用いることも可能である。
【００１３】
また、モニタ１０２は、ユーザが検索したい情報を選択又は登録する際に視覚的に情報の確認を行ったり、ユーザに提示する情報がある場合には、その情報を表示したりするためのものである。また、画像合成部１０６は、モニタ１０２に表示する画像又は映像を合成するためのものである。
【００１４】
また、マイク１０３は、ユーザがモニタ１０２に表示されている項目（例えば、番号１、２、３・・・など）を音声によって選択したり、単独で検索したい項目を音声によって登録したりするために用いられる音声入力部である。また、音声認識部１０７は、マイク１０３から入力された音声（ユーザの声）の認識を行い、ユーザによる音声入力や音声による指示を可能とする。モニタ１０２に表示された項目の選択や文字の入力などには、上記のマイク１０３以外にも、パーソナルコンピュータで通常用いられているマウス、キーボードなどの入力手段の利用が可能である。
【００１５】
また、スピーカ１０４は、ユーザに対しての問いかけや、情報の提供などを音声によって行なうための音声出力部である。また、音声合成部１０８は、スピーカ１０４からユーザに対して出力する音声が、自然な人間の声に近い音声となるように音声合成を行い、自然言語によるユーザへの問いかけや情報提供を可能とする手段である。
【００１６】
また、情報処理部１０９は、画像認識部１０５で特定された人物に関する情報を情報蓄積部１１０から読み出して、画像合成部１０６経由でモニタ１０２に表示したり、音声合成部１０８経由でスピーカ１０４から音声出力したりする処理を始めとして、情報提示システム１００内における様々な処理及び制御を行うことが可能な手段である。また、情報処理部１０９は、必要に応じて、ユーザが所望する情報の種別（キーワード）を情報検索部１１１に対して通知することも可能である。
【００１７】
また、情報蓄積部１１０は、あらかじめ登録されている登録者に関する情報、ユーザに提示する情報、ユーザが登録したイベント情報など、様々な情報を格納することが可能な情報格納媒体である。また、情報検索部１１１は、ユーザが所望する情報をネットワーク接続部１１２を介してネットワーク１３０から取得し、取得された情報を情報蓄積部１１０に出力して、情報蓄積部１１０に蓄積させることが可能な手段である。また、時計部１１３は、日時（日にちや時刻）を示す日時情報を出力するための手段であり、この日時情報に基づいて、ユーザに情報を提示するタイミングなどが決定される。なお、時計部１１３が出力する日時情報は、年・月・日・時・分・秒の各単位を含むことが望ましい。
【００１８】
なお、本発明の情報提示システムは、通常のパーソナルコンピュータをベースとして構成可能である。この場合、例えば、情報処理部１０９や情報検索部１１１は、パーソナルコンピュータのＣＰＵ（中央演算処理装置：Central Processing Unit）によって実現可能であり、情報蓄積部１１０は、パーソナルコンピュータのハードディスクによって実現可能である。
【００１９】
次に、図４を参照しながら、図１に示す情報提示システム１００における処理について説明する。図４は、本発明の第１の実施の形態における情報提示システムに係る動作を示すフローチャートである。まず、図１に示す情報提示システム１００では、カメラ１０１で撮像された人物を特定するための基礎データとなる人物データの登録が行われる（ステップＳ４００）。この人物データとしては、例えば、人物の顔の特徴を表すデータを利用することが可能であり、複数の人物データの登録も可能である。
【００２０】
一方、通常の動作時には、カメラ１０１が所定の撮像領域（例えば、所定の部屋の中）を常時撮像しており、画像認識部１０５によって、カメラ１０１で撮像された画像データの中から人物の検出処理が行われている。この人物の検出処理は、人物の発見処理及び判定処理の２つの処理を有している。すなわち、画像認識部１０５は、カメラ１０１で撮像された画像データの中から人物が発見されるか否かを監視しており（ステップＳ４０１）、人物が発見された場合には、その人物の顔の特徴データと、登録された人物の顔の特徴データ（ステップＳ４００で登録された人物データ）とを比較して、カメラ１０１で撮像された人物が登録者か否かの判定を行う（ステップＳ４０２）。なお、登録者か否かが疑わしい場合には、さらに、その人物にパスワードの入力を促すようにして、登録者を特定してもよい。このとき、カメラ１０１で撮像された人物が登録者ではない場合には、ステップＳ４００に戻って、カメラ１０１による人物の監視が引き続き行われる。
【００２１】
一方、カメラ１０１に写っている人物が登録者（ユーザ）と判断された場合には、その人物に関する過去に登録されたイベントを検索し、このユーザに対して提示する情報があるか否かを調べる（ステップＳ４０３）。このとき、提示する情報があり、さらに、その情報を提示すべきタイミング（時期）である場合には、モニタ１０２やスピーカ１０４を通じて、ユーザに対して情報の提示が行われる（ステップＳ４０４）。なお、ステップＳ４０３で検索される過去に登録されたイベントは、その人物が、後述のステップＳ４０６における処理によって過去に登録したイベントである。
【００２２】
さらに、ユーザがイベントを登録したい場合や新たに情報を入手したい場合には（ステップＳ４０５）、マイク１０３、キーボード（不図示）、マウス（不図示）などの入力手段を利用して、イベント登録や新たな情報の要求などを行なうことも可能である（ステップＳ４０６）。このとき、例えば、入手したい情報に関するキーワードなどをユーザが入力することによって、イベント登録が行われる。
【００２３】
また、ステップＳ４０６で登録されたイベントなどにおいて必要な情報が、既に情報蓄積部１１０に格納されているか否かを確認して、必要な情報の検索が必要か否かを判断する（ステップＳ４０７）。そして、必要な情報が情報蓄積部１１０に存在しない場合には、情報検索部１１１が、ネットワーク接続部１１２を通じてネットワーク１３０に接続されている任意の通信サーバやデータベースにアクセスして必要な情報を検索し（ステップＳ４０８）、この検索によって取得された情報を情報蓄積部１１０に格納する。
【００２４】
次に、一例として、図１に示す情報提示システムを利用して、ユーザがインターネット上に存在する情報を入手する場合の動作について説明する。所定の人物の検出処理（図４に示すステップＳ４０１、Ｓ４０２に対応）によって登録者と認められたユーザは、マイク１０３、キーボード、マウスなどの入力手段によって、所望の情報のキーワードを入力する（図４に示すステップＳ４０６に対応）。
【００２５】
ユーザによって入力されたキーワードは、情報処理部１０９を経由して情報検索部１１１に設定される。情報検索部１１１は、このキーワードに基づいて、ネットワーク接続部１１２及びネットワーク１３０を介してインターネットに接続し、キーワードに関連する必要な情報を検索して取得するとともに、取得された情報を情報蓄積部１１０に格納する（図４に示すステップＳ４０８に対応）。なお、情報検索部１１１によって取得される情報は、あらかじめ設定された容量内のデータとすることが望ましい。そして、情報検索部１１１による検索によって取得されたすべての情報が情報蓄積部１１０に格納されることによって、ユーザに対して、ユーザが入力したキーワードに関連する情報の提示を行うための準備が整ったことになる。
【００２６】
なお、情報検索部１１１による情報の検索には時間を要する場合もあり、ユーザに対して情報を提示することができる準備が完了したときに、ユーザが、当該情報提示システム１００から情報を提示することが可能なエリア（例えば、カメラ１０１で監視している部屋の中）に居るとは限らない。そのため、情報を提示する前に、カメラ１０１によって情報を要求したユーザが近くに居るかどうかを確かめることが望ましい。すなわち、カメラ１０１に撮像された画像データに基づく人物の検出処理によって、該当のユーザ（情報の提示を行う対象となるユーザ）が近くに居ることが確認された場合には、例えば、スピーカ１０４によって、「〜に関する情報が入手できました」などの音声案内を出力し、ユーザがマイク１０３、キーボード、マウスなどの入力手段によって情報の提示を要求した場合に、情報提示を行うようにする。また、情報の提示を行う対象となるユーザが近くに居ない場合や、ユーザが情報の提示を要求しなかった場合には、間を空けて（所定の時間だけ待機）、ユーザが近くに居ることを再度判断した後に、情報が取得された旨を通知して、ユーザによる情報提示の要求を促すようにすることが望ましい。
【００２７】
また、別の一例として、図１に示す情報提示システム１００を利用して、ユーザがテレビ番組の視聴予約をする場合の動作について説明する。所定の人物の検出処理（図４に示すステップＳ４０１、Ｓ４０２に対応）によって登録者と認められたユーザは、マイク１０３、キーボード、マウスなどの入力手段によって、視聴したい番組の登録を行う（図４に示すステップＳ４０６に対応）。
【００２８】
なお、視聴したい番組の登録方法としては、例えば、ユーザがマイク１０３を介して入力したキーワードから、いくつかの候補をモニタ１０２に表示し、その中から番組選択を行えるようにする方法や、番組の特定が可能な所定の番組コードを直接入力する方法などがある。モニタ１０２に番組の候補を表示する方法では、あらかじめネットワーク１３０経由で入手しておいた電子番組情報（ＥＰＧ：Electric Program Guide）を利用することが可能である。例えば、情報処理部１０９が、情報蓄積部１１０に格納されている電子番組情報を参照して、ユーザの入力した複数のキーワードから番組を絞り込み、該当する番組タイトルなどを画像合成部１０６で合成して、モニタ１０２に表示することが可能である。
【００２９】
ユーザが視聴予約を行う番組が確定した場合、その番組の情報が情報検索部１１１に設定される。情報検索部１１１は、設定された番組の放送時間を検出（例えば、放送開始時刻及び放送終了時刻から算出）する。例えば、番組が公衆放送によって取得可能な場合には、その番組の放送時刻にネットワーク接続部１１２経由で番組の取得が行われる。なお、この場合には、ネットワーク１３０は、有線又は無線の放送ネットワークである。一方、取得対象の放送番組がネットワーク１３０上に既に格納されているものである場合には、即座にネットワーク接続部１１２経由で、ネットワーク１３０から番組を取得することが望ましい。
【００３０】
時計部１１３からの日時情報に基づいて、放送番組を取得するための放送開始時刻（番組の放送が開始される時刻）が近づいたことが検出された場合、カメラ１０１及び画像認識部１０５によって、予約を行ったユーザ（番組の提供対象となるユーザ）が近くに居るか否かを確認するユーザの検出処理が行われる（図４に示すステップＳ４０１、Ｓ４０２に対応）。該当のユーザが近くに居ることが検出された場合には、スピーカ１０４によって、「番組〜がそろそろ始まります」などの音声案内を出力し、ユーザがマイク１０３、キーボード、マウスなどの入力手段から番組の視聴を要求した場合には、情報提示（放送番組の提供）を行う（図４に示すステップＳ４０４に対応）。
【００３１】
一方、番組の提供対象となるユーザが近くに居ない場合や、ユーザが番組の提示を要求しなかった場合には、番組を自動的に取得して情報蓄積部１１０に収録する。情報蓄積部１１０に収録された番組に関しては、情報提示が可能なユーザが近くに居る状態を判断し、再度、スピーカ１０４から「番組〜を収録してあります」などの音声案内を出力して、ユーザによる情報提示の要求を促すようにする。
【００３２】
なお、上述のユーザがインターネット上に存在する情報を入手する場合や、ユーザがテレビ番組の視聴予約をする場合以外にも、ユーザがマイク１０３やキーボード、マウスなどによって自分のスケジュールを登録しておき、登録されたスケジュールの時刻になったときに、スピーカ１０４から「〜をする時間がきました」などの通知を行ったり、登録者であるユーザあてに電子メールが届いた場合に「電子メールが届きました」などの通知を行ったりするなど、情報提示に係る様々な態様が可能である。
【００３３】
＜第２の実施の形態＞
次に、本発明の第２の実施の形態について説明する。図２は、本発明の第２の実施の形態における情報提示システム全体の構成を示す図である。図２に図示されている情報提示システム２００は、カメラ（監視用カメラ）１０１、モニタ（モニタディスプレイ）１０２、マイク（音声入力部）１０３、スピーカ（音声出力部）１０４、画像認識部１０５、画像合成部１０６、音声認識部１０７、音声合成部１０８、情報処理部１０９、情報蓄積部１１０、情報検索部１１１、ネットワーク接続部１１２、時計部１１３、ＲＦＩＤ認識部１２０を有している。なお、図２に示す情報提示システム２００は、図１に示す情報提示システム１００の構成に加えて、ＲＦＩＤ認識部１２０が付加されているが、その他の構成要素に関しては同一である。
【００３４】
また、情報処理部１０９は、上述のように、様々な処理を行うことが可能な手段であるが、この情報処理部１０９によって、ユーザに提示するための適切な情報の決定を行う情報決定手段、ユーザに情報を提示する適切な日時（情報提示日時）を決定する情報提示日時決定手段、ユーザに対して、適切な日時に、適切な情報を提示できるように制御を行う情報提示制御手段が実現可能である。
【００３５】
ＲＦＩＤ（Radio Frequency Identification）技術は、微小な無線チップに情報を記憶することが可能なＩＤタグ（ＲＦＩＤタグ）内に格納された情報を、専用の読み取り装置で非接触に読み取る仕組みを有しており、近年では、あらゆる物品に、このＲＦＩＤタグを取り付けるべく実験が進められている。なお、図２に示す情報提示システム２００内のＲＦＩＤ認識部１２０は、ＲＦＩＤタグの情報を抽出する読み取り装置に相当するものであり、様々な物品に取り付けられたＲＦＩＤタグから情報を読み取ることが可能である。
【００３６】
次に、本発明の第２の実施の形態の概要について、図４を参照しながら説明する。本発明の第２の実施の形態に係る情報提示システム２００では、上述した第１の実施の形態と同様に、あらかじめ人物データが登録され（図４のステップＳ４００の処理と同一）、カメラ１０１によって撮像された画像データから人物の検出処理が行われ（図４のステップＳ４０１、Ｓ４０２の処理と同一）、ユーザに対して提示する情報が存在する場合には、情報提示が行われる（図４のステップＳ４０３、Ｓ４０４の処理と同一）。また、ユーザによるイベント登録や情報入力も可能であり、ネットワーク１３０を通じて、ユーザに提示すべき情報を検索し、蓄積することも可能である（図４のステップＳ４０５〜Ｓ４０８の処理と同一）。
【００３７】
本発明の第２の実施の形態に係る情報提示システム２００は、図２に図示されているように、ＲＦＩＤ認識部１２０が設けられており、ＲＦＩＤタグ内に格納されている情報の入力が可能なように構成されており、特に、イベント登録や情報入力を行う際に、このＲＦＩＤタグ内に格納されている情報の入力を活用することが可能である。具体的には、ステップＳ４０６のイベント登録や情報入力を行う際に、ユーザは、ＲＦＩＤ認識部１２０に、所定のＲＦＩＤタグ内の情報を読み取らせることによって、ステップＳ４０４における情報提示に必要となる情報や、ステップＳ４０８における検索処理を支援するキーワードなどを入力することが可能である。
【００３８】
次に、一例として、図２に示す情報提示システム２００を利用して、医療機関で処方された薬の服用に係る情報を提示する場合の動作について説明する。まず、上述の第１の実施の形態と同様、人物の検出処理が行われ、特定の登録者（ユーザ）の認証が行われる。このとき、登録者と認められたユーザは、マイク１０３、キーボード、マウスなどの入力手段により、情報提示システム２００に対して、ＲＦＩＤタグ内の情報を入力する意思のあることを通知することが可能である。ユーザがＲＦＩＤタグ内の情報を入力する意思のあることを通知した場合、情報提示システム２００では、ＲＦＩＤ認識部１２０によるＲＦＩＤタグの読み取り処理のための準備が行われる。
【００３９】
一方、ユーザは、ＲＦＩＤ認識部１２０に読み取らせるＲＦＩＤタグを準備する。ここでは、ユーザが、医療機関によって処方される薬の袋に取り付けられており、あらかじめ処方薬に関する情報が格納されているＲＦＩＤタグを有しているものとする。なお、このＲＦＩＤタグ内の処方薬に関する情報は、ユーザに対して薬を処方する医療機関において、薬の処方時に書き込まれるものであり、実際に処方される薬に対応した情報である。
【００４０】
図３は、本発明の第２の実施の形態における情報提示システムに用いられるＲＦＩＤタグに格納されるデータの内容の一例を示す図である。このＲＦＩＤタグ内の処方薬に関する情報としては、例えば、受診した医療機関を示す「病院名」、薬が処方された日時を示す「処方年月日」、薬の有効期限を示す「有効期限」、何日分の薬が処方されたかを示す「服用日数」、処方された複数種の薬の概要を示す「薬の種別」、服用時間（薬を服用する時刻）や服用時の注意事項を示す「服用方法」、次回の受診日を示す「次回受診日」などの各情報を用いることが可能である。
【００４１】
ユーザは薬の袋に取り付けられたＲＦＩＤタグをＲＦＩＤ認識部１２０に近づけることによって、ＲＦＩＤタグ内に格納されている情報をＲＦＩＤ認識部１２０に読み取らせる。ＲＦＩＤ認識部１２０がＲＦＩＤタグから読み取った情報は、情報処理部１０９を経由して情報蓄積部１１０に蓄積される。これにより、情報提示システム２００は、ＲＦＩＤタグから読み取った上記の情報（処方薬に関する情報）を利用して、ユーザに対して、適切な情報の提示を行うことが可能となる。
【００４２】
例えば、情報提示システム２００は、ＲＦＩＤタグから読み取られて情報蓄積部１１０に格納された情報と、時計部１１３から出力される現在の日時（年月日及び時刻）とを比較し、薬を必要とするユーザが薬を服用する服用時間が近づいた場合又は服用時間となった場合に、カメラ１０１及び画像認識部１０５による人物の検出処理によって薬を服用すべきユーザを探す。
【００４３】
そして、そのユーザが近くに存在する場合には、スピーカ１０４によって、「薬を飲む時間がきました」などの音声案内を発することによって、ユーザに薬を服用する時間である旨を通知することが可能である。また、さらに、この場合、薬が食後に服用すべきものである場合には、スピーカ１０４から「食事は済みましたか？」などの音声案内を発して、食事の摂取を促すようにしてもよい。
【００４４】
一方、薬の服用の時間が過ぎてもユーザが近くに確認できない場合には、ユーザを見つけ次第、「薬を飲む時間が過ぎました」、「食事は済みましたか？」、「薬は既に服用しましたか？」などの音声案内を発するようにしてもよい。
【００４５】
また、ユーザに対して薬の服用を促す際に、モニタ１０２にそのとき服用する薬の写真や個数、薬の服用方法やその他の注意事項などを表示することも可能であり、これにより、ユーザが、服用する薬やその服用方法を間違えないようにすることも可能である。なお、こうした薬の写真や服用方法などの薬に関する様々な情報は、ＲＦＩＤタグから読み取った「薬の種別」や「服用方法」などのデータを基にして、情報検索部１１１が、ネットワーク接続部１１２を経由して、あらかじめ医療機関などのサーバやデータベースから、取得しておくことが可能である。
【００４６】
さらに、ユーザが、この服用時間にきちんと薬を服用したか否かを確認するために、「薬はちゃんと服用しましたか？」などの音声案内を発し、マイク１０３、キーボード、マウスを通じて、薬をきちんと服用したか否かをユーザに入力させるようにしてもよい。これにより、ユーザの薬の服用履歴を蓄積することが可能となるとともに、医療機関から処方された薬の残量を確認することも可能である。
【００４７】
また、次回の受診前に、情報提示システム２００が、ユーザの薬の服用履歴に係る情報を、ネットワーク接続部１１２を通じて医療機関にあらかじめ送ることも可能である。これにより、例えば、医師が、ユーザの薬の服用状況などを確認することが可能となり、医師による適切な診療／処方を補助することが可能となる。
【００４８】
また、薬の有効期限が切れた場合に「〜病院で処方された薬の有効期限が過ぎました」などの通知を行ったり、医療機関における次回の受診日が近づいた場合や受信日となった場合に「〜病院の受診日が近づきました」、「今日は、〜病院の受診日です」などの通知を行ったりすることも可能であり、さらに詳しく受信時刻やその他の受信に係る注意事項などを通知することも可能である。
【００４９】
なお、上述の医療機関で処方された薬の服用に係る情報を提示する場合以外にも、食品の賞味期限情報などが格納されたＲＦＩＤタグから情報を読み取り、その食品の賞味期限が近づいてきた旨を通知したり、図書館の本やレンタルビデオの返却期限情報などが格納されたＲＦＩＤタグから情報を読み取ることによって、本やビデオの返却期限が近づいてきた旨を通知したりするなど、ＲＦＩＤを利用した情報提示に係る様々な態様が可能である。
【産業上の利用可能性】
【００５０】
本発明に係る情報提示システムは、情報を提示するユーザを特定するとともに、ユーザ本人が確実に情報を取得できる場所に存在するときに、本当に必要な情報のみを提供することを可能とするものであり、自ら情報を探せないユーザが、世の中に氾濫する大量の情報の中から、本当に必要とする情報のみを入手できるようにすることによって、デジタルデバイドによる情報格差を解消したり、行わなければならない事柄を忘れてしまうユーザに対して、必要な情報を適切な時刻に提示したりすることが可能となり、情報の取得に不慣れな弱者を補助するという効果を有しており、情報の収集、情報を入手する際の支援、適切な日時における重要な情報の提示などを行うための技術分野に適用可能である。
【図面の簡単な説明】
【００５１】
【図１】本発明の第１の実施の形態における情報提示システム全体の構成を示す図である。
【図２】本発明の第２の実施の形態における情報提示システム全体の構成を示す図である。
【図３】本発明の第２の実施の形態における情報提示システムに用いられるＲＦＩＤタグに格納されるデータの内容の一例を示す図である。
【図４】本発明の第１の実施の形態における情報提示システムに係る動作を示すフローチャートである。
【符号の説明】
【００５２】
１００、２００  情報提示システム
１０１  カメラ（監視用カメラ）
１０２  モニタ（モニタディスプレイ）
１０３  マイク（音声入力部）
１０４  スピーカ（音声出力部）
１０５  画像認識部
１０６  画像合成部
１０７  音声認識部
１０８  音声合成部
１０９  情報処理部
１１０  情報蓄積部
１１１  情報検索部
１１２  ネットワーク接続部
１１３  時計部（時刻情報出力部）
１２０  ＲＦＩＤ認識部
１３０  ネットワーク
【図１】
2005275619.tif 000003
【図２】
2005275619.tif 000004
【図３】
2005275619.tif 000005
【図４】
2005275619.tif 000006